(57)【要約】【課題】  カラーシステムの設定をユーザが意識することなくシステム内で自動的に選択して設定するビデオ信号変換装置およびビデオ信号変換方法を提供することを課題とする。【解決手段】  本発明のビデオ信号変換装置は、コンポジット入力信号（Ｖ）からビデオ信号情報を分けてＹ／Ｃ分離ビデオ信号（Ｓ）に変換するデジコムフィルター２と、Ｙ／Ｃ分離ビデオ信号（Ｓ）からビデオ信号情報の他のビデオ信号情報を分けてコンポーネント信号（Ｃ）に変換するクロマデコーダ２と、デジコムフィルター１及びクロマデコーダ２における変換時のパラメータの設定を行うマイコン３と、Ｙ／Ｃ分離ビデオ信号（Ｓ）およびコンポーネント信号（Ｃ）を出力する出力手段とを備えたものである。【選択図】        図１
2005051543.tif 000002
【特許請求の範囲】
【請求項１】
複合ビデオ信号情報からビデオ信号情報を分けて第１の分離ビデオ信号情報に変換する第１の変換手段と、
上記第１の分離ビデオ信号情報から上記ビデオ信号情報の他のビデオ信号情報を分けて第２の分離ビデオ信号情報に変換する第２の変換手段と、
上記第１の変換手段および上記第２の変換手段における変換時のパラメータの設定を行う設定手段と、
上記第１の分離ビデオ信号情報および上記第２の分離ビデオ信号情報を出力する出力手段と
を備えたビデオ信号変換装置。
【請求項２】
請求項１記載のビデオ信号変換装置において、
上記設定手段は、上記第１の変換手段および上記第２の変換手段における変換の際に、カラーテレビシステム信号を自動的に変更することを特徴とするビデオ信号変換装置。
【請求項３】
請求項２記載のビデオ信号変換装置において、
上記設定手段は、上記第１の分離ビデオ信号情報に基づいて上記カラーテレビシステム信号の判別を行うことを特徴とするビデオ信号変換装置。
【請求項４】
第１の変換手段により複合ビデオ信号情報からビデオ信号情報を分けて第１の分離ビデオ信号情報に変換するステップと、
第２の変換手段により上記第１の分離ビデオ信号情報から上記ビデオ信号情報の他のビデオ信号情報を分けて第２の分離ビデオ信号情報に変換するステップと、
上記第１の変換手段および上記第２の変換手段における変換時のパラメータの設定を設定手段により行うステップと、
出力手段により上記第１の分離ビデオ信号情報および上記第２の分離ビデオ信号情報を出力するステップと
を備えたビデオ信号変換方法。
【請求項５】
請求項４記載のビデオ信号変換方法において、
上記設定手段は、上記第１の変換手段および上記第２の変換手段における変換の際に、カラーテレビシステム信号を自動的に変更することを特徴とするビデオ信号変換方法。
【請求項６】
請求項５記載のビデオ信号変換方法において、
上記設定手段は、上記第１の分離ビデオ信号情報に基づいて上記カラーテレビシステム信号の判別を行うことを特徴とするビデオ信号変換方法。
【発明の詳細な説明】
【技術分野】
【０００１】
本発明は映像信号方式の変換及びその際に行われるカラーシステムの判別方式に関するものである。
【背景技術】
【０００２】
特許文献１には、全てのカラーシステムに対応したテレビジョン受像機の自動判別を目的として、マイコンとビデオ・クロマ処理ＩＣとで構成され、システムのキャリア周波数に関するアイデントキラー信号、振幅に関するアンプリチュードキラー信号、垂直周波数に関する垂直ライン数信号、入力された映像信号の垂直周波数と現在のカラーシステムに関する設定とが一致しているかを判別する垂直ロック信号を用いて、自動的にカラーシステムの判別を行うテレビジョン受像機のカラーシステム自動判別装置が開示されている。
【０００３】
【特許文献１】特開２０００‐１９４８号公報
【発明の開示】
【発明が解決しようとする課題】
【０００４】
特許文献１にあるカラーシステムの自動判別装置はＰＡＬ、ＳＥＣＡＭ、ＮＴＳＣの他のカラーシステム、例えば、入力映像信号の垂直周波数が６０ＨzのＰＡＬ６０、ＳＥＣＡＭ６０、5０ＨzのＮＴＳＣ５０に限定されていた。そこで、例えば、各種記録媒体に記録されているビデオ信号を再生するビデオデッキなどから各種方式の入力ビデオ信号がオーディオビデオアンプ（ＡＶアンプ）に入力されて、ＡＶアンプでビデオ信号の変換を行ってプロジェクタなどに変換後の出力ビデオ信号による画像表示を行う場合、それぞれの入力ビデオ信号方式毎にカラーシステム変換装置を用意する必要があるという不都合があった。
【０００５】
そこで、本発明は、カラーシステムの設定をユーザが意識することなくシステム内で自動的に選択して設定するビデオ信号変換装置およびビデオ信号変換方法を提供することを課題とする。
【課題を解決するための手段】
【０００６】
上記課題を解決し、本発明の目的を達成するため、本発明のビデオ信号変換装置は、複合ビデオ信号情報からビデオ信号情報を分けて第１の分離ビデオ信号情報に変換する第１の変換手段と、第１の分離ビデオ信号情報からビデオ信号情報の他のビデオ信号情報を分けて第２の分離ビデオ信号情報に変換する第２の変換手段と、第１の変換手段および第２の変換手段における変換時のパラメータの設定を行う設定手段と、第１の分離ビデオ信号情報および第２の分離ビデオ信号情報を出力する出力手段とを備えたものである。
【０００７】
これにより、第１の変換手段は複合ビデオ信号情報からビデオ信号情報を分けて第１の分離ビデオ信号情報に変換する。第２の変換手段は第１の分離ビデオ信号情報からビデオ信号情報の他のビデオ信号情報を分けて第２の分離ビデオ信号情報に変換する。設定手段は第１の変換手段および第２の変換手段における変換時のパラメータとして、例えば、カラーテレビシステム信号を自動的に変更する設定を行う。また、第１の分離ビデオ信号情報に基づいてカラーテレビシステム信号の判別を行う。出力手段は第１の分離ビデオ信号情報および第２の分離ビデオ信号情報を出力する。
【０００８】
また、本発明のビデオ信号変換方法は、第１の変換手段により複合ビデオ信号情報からビデオ信号情報を分けて第１の分離ビデオ信号情報に変換するステップと、第２の変換手段により第１の分離ビデオ信号情報からビデオ信号情報の他のビデオ信号情報を分けて第２の分離ビデオ信号情報に変換するステップと、第１の変換手段および第２の変換手段における変換時のパラメータの設定を設定手段により行うステップと、出力手段により第１の分離ビデオ信号情報および第２の分離ビデオ信号情報を出力するステップとを備えたものである。
【０００９】
これにより、第１の変換手段は複合ビデオ信号情報からビデオ信号情報を分けて第１の分離ビデオ信号情報に変換する。第２の変換手段は第１の分離ビデオ信号情報からビデオ信号情報の他のビデオ信号情報を分けて第２の分離ビデオ信号情報に変換する。設定手段は第１の変換手段および第２の変換手段における変換時のパラメータとして、例えば、カラーテレビシステム信号を自動的に変更する設定を行う。また、第１の分離ビデオ信号情報に基づいてカラーテレビシステム信号の判別を行う。出力手段は第１の分離ビデオ信号情報および第２の分離ビデオ信号情報を出力する。
【発明の効果】
【００１０】
本発明によれば、第１の変換手段および第２の変換手段における変換時のパラメータの設定をユーザが意識することなくシステム内で自動的に選択することができる。また、本発明では入力信号の種類によることなくカラーテレビシステム信号を自動的に変更する設定を行うことができ、また、カラーシステム信号の判別が可能となる。従って、ユーザは入力信号のカラーシステム、信号種別を意識して第１の変換手段および第２の変換手段のパラメータの設定を変更する必要がなくなるため、操作性が向上する。
【発明を実施するための最良の形態】
【００１１】
図1は本発明における実施の形態のビデオ信号変換装置の構成を示すブロック図である。
まず、ビデオ信号変換装置の構成を説明する。
本発明における実施の形態のビデオ信号変換装置は、複合ビデオ信号情報のカラーコンポジットビデオ信号（Ｃｏｌｏｒ Ｃｏｍｐｏｓｉｔｅ Ｖｉｄｅｏ Ｓｉｇｎａｌ：以降コンポジット信号)（Ｖ）からビデオ信号情報を分けて第１の分離ビデオ信号情報のＹ/Ｃ分離ビデオ信号（Ｙ／Ｃ Ｓｅｐａｒａｔｅ信号：Ｙｉ=輝度信号（Ｙ／Ｃ分離ビデオ信号のY成分、Ｃｉ=クロマ信号（Ｙ／Ｃ分離ビデオ信号のC成分)（Ｓ）に変換する第１の変換手段であるデジコムフィルター１を有して構成される。
【００１２】
また、ビデオ信号変換装置は、第１の分離ビデオ信号情報のＹ／Ｃ分離ビデオ信号（Ｓ）からビデオ信号情報の他のビデオ信号情報を分けて第２の分離ビデオ信号情報のコンポーネント信号（Ｙｏ=出力輝度信号、Ｕｏ=Ｒ−Ｙ＝出力色差信号１、Ｖｏ=Ｂ−Ｙ＝出力色差信号２）（Ｃ）に変換する第２の変換手段であるクロマデコーダ２を有して構成される。
【００１３】
また、ビデオ信号変換装置は、第１の変換手段であるデジコムフィルター１および第２の変換手段であるクロマデコーダ２における変換時のパラメータの設定を行う設定手段であるマイクロコンピュータ（以下、マイコンという）３を有して構成される。
【００１４】
また、ビデオ信号変換装置は、第１の分離ビデオ信号情報のＹ/Ｃ分離ビデオ信号（Ｓ）および第２の分離ビデオ信号情報のコンポーネント信号（Ｃ）を出力する出力手段を有して構成される。
【００１５】
ここで、設定手段であるマイコン３は、第１の変換手段であるデジコムフィルター１および第２の変換手段であるクロマデコーダ２におけるカラーテレビシステム信号を自動的に変更する設定を行うように構成される。また、設定手段であるマイコン３は、第１の分離ビデオ信号情報に基づいてカラーテレビシステム信号の判別を行うように構成される。
【００１６】
なお、図１において、ＩＣ００１はデジコムフィルター１、ＩＣ００２はクロマデコーダ２、ＩＣ００３は組み込みマイコン３を示す。
【００１７】
ここで、複合ビデオ信号情報はカラーコンポジットビデオ信号（Ｖ）、第１の分離ビデオ信号情報はＹ/Ｃ分離ビデオ信号（Ｓ）、及び第２の分離ビデオ信号情報はコンポーネント信号（Ｃ）に対応する。また、第１の変換手段はデジコムフィルター、第２の変換手段はクロマデコーダ、設定手段はマイクロコンピュータに対応する。
【００１８】
次に、このように構成されたビデオ信号変換装置の動作を説明する。
図２は動作を示すフローチャートである。
デジコムフィルター１及びクロマデコーダ２は入力ビデオ信号のカラーシステムにより設定を変更する必要がある。本発明ではデジコムフィルター１及びクロマデコーダ２のカラーシステムの設定をユーザが意識することなくシステム内で自動的に選択するものである。
【００１９】
図１において、デジコムフィルター１はコンポジット信号入力（Ｖ）をＹ／Ｃ分離しＹ／Ｃ分離ビデオ信号（Ｓ）の輝度信号（Ｙｉ）及びクロマ信号（Ｃｉ）を作成する。
【００２０】
クロマデコーダ２は入力クロマ信号（Ｃｉ）に応じてＮＴＳＣ／ＰＡＬ／ＳＥＣＡＭのカラーシステム及びサブキャリア周波数を自動判別する。この時デジコムフィルター１の設定（ＤＳＥＴ）がカラーシステムとあっていない場合でも自動判別する。
【００２１】
このとき、デジコムフィルター１及びクロマデコーダ２は、図２のフローチャートのステップＳ１に従い、デジコムフィルター１のカラーシステム設定（ＤＳＥＴ）およびクロマデコーダ２のカラーシステム設定（ＣＳＥＴ）が初期設定される。
【００２２】
クロマデコーダ２は入力輝度信号（Ｙｉ）を水平同期信号と垂直同期信号に分離する。クロマデコーダ２は分離した水平同期信号と図示しない電圧制御発振器ＶＣＯの発振子から出力された電圧制御発振信号の分周信号とを比較し同期、非同期を自動判別する。
【００２３】
マイコン３は、図２のフローチャートのステップＳ２に従い、クロマデコーダ２の判別情報(カラーシステム、入力信号（有／無）)の自動判別結果（ＩＮＦ）をＩ２Ｃ通信バスによりクロマデコーダ２から取得する。
【００２４】
マイコン３は自動判別結果から図２のフローチャートのステップＳ３、ステップＳ４に従いデジコムフィルター１のカラーシステム設定（ＤＳＥＴ）を変更する。
マイコン３は自動判別結果から図２のフローチャートのステップＳ３、ステップＳ４に従いクロマデコーダ２のカラーシステム設定（ＣＳＥＴ）を変更する。
【００２５】
次に、図３を用いて使用状態を説明する。
図３において、ビデオデッキ１１からＡＶアンプ１３のコンポジット入力端子１６にコンポジット入力信号（Ｖ）が入力されると、ＡＶアンプ１３のデジコムフィルター１４はコンポジット信号入力（Ｖ）をＹ／Ｃ分離しＹ／Ｃ分離ビデオ信号（Ｓ）の輝度信号（Ｙｉ）及びクロマ信号（Ｃｉ）を生成する。
【００２６】
デジコムフィルター１４から生成されたＹ／Ｃ分離ビデオ信号（Ｓ）はクロマデコーダ２に供給される。また、ビデオデッキ１１からＡＶアンプ１３のＳ入力端子１７にＹ／Ｃ分離ビデオ信号（Ｓ）が入力されたときも、直接Ｙ／Ｃ分離ビデオ信号（Ｓ）はクロマデコーダ１５に供給される。
【００２７】
クロマデコーダ１５はＹ／Ｃ分離ビデオ信号（Ｓ）をコンポーネント信号（Ｃ）に変換してコンポーネント出力端子２１に出力する。また、ＤＶＤ（Ｄｉｇｉｔａｌ  Ｖｅｒｓａｔｉｌｅ  Ｄｉｓｃ）プレーヤ１２からＡＶアンプ１３のコンポーネント入力端子１８にコンポーネント信号（Ｃ）が入力されたときも、直接コンポーネント信号（Ｃ）はコンポーネント出力端子２１に出力される。
【００２８】
コンポーネント出力端子２１から出力されるコンポーネント信号（Ｃ）はプロジェクタ２２に供給され、プロジェクタ２２はコンポーネント信号（Ｃ）によるビデオ画像を表示する。
【００２９】
このとき、図２に示したように、デジコムフィルター１及びクロマデコーダ１５は、デジコムフィルター１のカラーシステム設定（ＤＳＥＴ）およびクロマデコーダ１５のカラーシステム設定（ＣＳＥＴ）が初期設定される。
【００３０】
クロマデコーダ１５は入力輝度信号（Ｙｉ）を水平同期信号と垂直同期信号に分離する。クロマデコーダ１５は分離した水平同期信号と図示しない電圧制御発振器ＶＣＯの発振子から出力された電圧制御発振信号の分周信号とを比較し同期、非同期を自動判別する。
【００３１】
図示しないマイコンは、クロマデコーダ１５の判別情報(カラーシステム、入力信号（有／無）)の自動判別結果（ＩＮＦ）をＩ２Ｃ通信バスによりクロマデコーダ１５から取得する。
【００３２】
そして、図示しないマイコンは自動判別結果からデジコムフィルター１４のカラーシステム設定（ＤＳＥＴ）を変更する。また、図示しないマイコンは自動判別結果からクロマデコーダ１５のカラーシステム設定（ＣＳＥＴ）を変更する。
【００３３】
これにより、デジコムフィルター１４の設定をユーザが意識することなくシステム内で自動的に選択する。
【００３４】
なお、ビデオデッキ１１からＡＶアンプ１３のコンポジット入力端子１６にコンポジット入力信号（Ｖ）が入力されたとき、直接コンポジット信号（Ｖ）はＡＶアンプ１３のコンポジット出力端子１９から出力され、また、ビデオデッキ１１からＡＶアンプ１３のＳ入力端子１７にＹ／Ｃ分離ビデオ信号（Ｓ）が入力されたときも、直接Ｙ／Ｃ分離ビデオ信号（Ｓ）はＡＶアンプ１３のＳ出力端子２０から出力される。
【００３５】
なお、上述した実施の形態では、コンポジット入力信号（Ｖ）をＹ／Ｃ分離ビデオ信号（Ｓ）およびコンポーネント信号（Ｃ）に変換する場合についてのみ説明したが、これに限らず、コンポーネント信号（Ｃ）からさらに他のビデオ信号情報を分けて第３の分離ビデオ信号情報のＤ端子出力信号（Ｄ１端子出力信号、Ｄ２端子出力信号、Ｄ４端子出力信号として、Ｒ、Ｇ、Ｂおよび伝送速度などのコントロール信号）に変換する場合に適用するようにしても良い。
【００３６】
さらに、ＩＥＥＥ１３９４規格のインターフェース信号にコンポーネント信号（Ｃ）を追加する場合に適用するようにしても良い。
【産業上の利用可能性】
【００３７】
この発明は、ビデオデッキ１１からコンポジット入力信号（Ｖ）およびＹ／Ｃ分離ビデオ信号（Ｓ）をＡＶアンプ１３に入力した場合にも、ＤＶＤプレーヤ１２からコンポーネント信号（Ｃ）をＡＶアンプ１３に入力してからプロジェクタ２２に出力してプロジェクタ２２が表示するコンポーネント信号（Ｃ）によるビデオ画像と同様のコンポーネント信号（Ｃ）によるビデオ画像を表示する場合に利用可能である。
【図面の簡単な説明】
【００３８】
【図１】本発明における実施の形態のビデオ信号変換装置の校正を示すブロック図である。
【図２】動作を示すフローチャートである。
【図３】使用状態を説明する図である。
【符号の説明】
【００３９】
１…デジコムフィルター、２…クロマデコーダ、３…マイコン、Ｖ…コンポジット信号、Ｓ…Ｙ／Ｃ分離ビデオ信号、Ｃ…コンポーネント信号、ＩＮＦ…判別情報(カラーシステム、入力信号（有／無）)）、ＤＳＥＴ…デジコムフィルターのカラーシステム設定、ＣＳＥＴ…クロマデコーダのカラーシステム設定、１１…ビデオデッキ、１２…ＤＶＤプレーヤ、１３…ＡＶアンプ、１４…デジコムフィルター、１５…クロマデコーダ、２２…プロジェクタ
【図１】
2005051543.tif 000003
【図２】
2005051543.tif 000004
【図３】
2005051543.tif 000005